(57)【要約】【課題】分光光度計を構成する要素の切替えによって検出信号のグラフに生じるノイズや段差を分析者が容易に判別できるようにする。【解決手段】外部制御装置１０は光測定部８で得られた検出データに基づいて吸光度スペクトルなどのグラフを作成してデータ表示部１６に表示させることができ、さらに、切替え波長記憶部１２に格納されている各切替え波長の位置をデータ表示部１６のグラフ上に表示させることもできる。    【選択図】  図１
2009250787.tif 000002
【特許請求の範囲】
【請求項１】
試料に対して光照射を行なう光源部、互いに異なる波長域に対応する複数の光検出器を備えた光測定部、試料からの光を前記光測定部に導く測定光学系、及び光源部又は測定光学系に設けられた分光部を備えた測定装置本体と、
前記複数の光検出器を所定の波長で切り替えて選択的に使用するとともに、測定装置本体内の動作を制御する装置内制御部と、
前記光測定部で得られた検出信号に基づいて作成されたグラフを表示するデータ表示部と、
前記装置内制御部での動作条件及び前記データ表示部での表示条件を設定する外部制御装置と、を備え、
前記外部制御装置は前記データ表示部に対し前記光測定部での光検出器の切替え波長の位置を前記グラフ上に表示できるものであることを特徴とする分光光度計。
【請求項２】
前記光源部は互いに異なる発光スペクトルを有する複数の光源を備え、
前記装置内制御部は、さらに前記複数の光源からの光のいずれかを測定光として使用するように所定の波長で光源の切替えを行なうものであり、
前記外部制御装置は前記データ表示部に対し前記光源部における測定光の切替え波長の位置も前記グラフ上に表示できるものである請求項１に記載の分光光度計。
【請求項３】
前記分光部は互いに分光可能な波長域が異なる複数の分光素子を備え、
前記装置内制御部は、さらに前記複数の分光素子のいずれかを使用するように所定の波長で切替えを行なうものであり、
前記外部制御装置は前記データ表示部に対し前記分光部における分光素子の切替え波長の位置も前記グラフ上に表示できるものである請求項１又は２に記載の分光光度計。
【発明の詳細な説明】
【技術分野】
【０００１】
本発明は、試料に対して光照射を行なう光源部、互いに異なる波長域に対応する複数の光検出器を備えた光測定部、試料からの光を光測定部に導く測定光学系、及び光源部又は測定光学系に設けられた分光部を備えた分光光度計に関するものである。
【背景技術】
【０００２】
液体クロマトグラフで分離された試料成分を検出する検出器として分光光度計が知られている。分光光度計は試料セル内の試料に光照射する光源や試料からの透過光又は反射光を分光する分光測定光学系、分光された光を検出する光検出器などを備えている。光検出器としては光電子増倍管やＰｂＳ検出器、ＩｎＧａＡｓ検出器などが用いられているが、それらのうち１つの検出器のみを用いて紫外領域から可視領域までの広い波長域の測定を行なうことは不可能である。
【０００３】
そこで、複数種類の光検出器を搭載して一定の波長で使用する検出器を機械的に切り替えることで広い波長域の測定を可能にすることが行なわれている。その例として、例えば１９０ｎｍ〜９００ｎｍの波長域に検出感度を有する光電子増倍管と７５０ｎｍ〜３３００ｎｍの波長域に検出感度を有するＰｂＳ検出器の両方を搭載して７５０ｎｍ〜９００ｎｍの間の波長で検出器の切替えを行なうもの（例えば、特許文献１参照。）や、光電子増倍管、ＰｂＳ検出器及びＩｎＧａＡｓ検出器を搭載してそれらの検出器を所定の波長で切り替えるもの（例えば、特許文献２参照。）がある。
【０００４】
また、分光測定光学系として反射型の回折格子が多く用いられているが、１つの回折格子では広い波長域において高効率に回折することができないため、高効率に回折できる波長域が異なっている複数の回折格子を搭載してそれらを測定波長域に応じて機械的に切り替えて使用することも行なわれている（例えば、特許文献３参照。）。
【特許文献１】特開平８−１８４４９５号公報
【特許文献２】特開２００６−２３２８４号公報
【特許文献２】特開２００２−５８２４号公報
【発明の開示】
【発明が解決しようとする課題】
【０００５】
ところで、光検出器や分光測定光学系などの要素を機械的に切り替えて広い波長域を測定する上記のような分光光度計では、その検出信号にそれら要素の切替え波長付近に切替え時のショックがノイズや段差となって現れてしまうことが問題となっている。特許文献１は、光検出器の切替え波長の前後の波長域を光電子増倍管とＰｂＳ検出器の両方を用いて同時に測定し、それらの検出信号の平均値をその波長域の検出信号として扱うことで光検出器の切替えによって生じるノイズや段差を低減することを提案したものである。この方法によれば光検出器の機械的な切替えによって生じるノイズや段差を小さくすることが可能である。しかし、ノイズや段差が完全に消失するわけではないため、分析者がノイズや段差を試料成分由来のピークと勘違いしてしまうことがあり得る。
【０００６】
そこで本発明は、分光光度計を構成する要素の切替えによって検出信号のグラフに生じるノイズや段差を分析者が容易に判別できるようにすることを目的とするものである。
【課題を解決するための手段】
【０００７】
本発明の分光光度計は、試料に対して光照射を行なう光源部、互いに異なる波長域に対応する複数の光検出器を備えた光測定部、試料からの光を光測定部に導く測定光学系、及び光源部又は測定光学系に設けられた分光部を備えた測定装置本体と、複数の光検出器を所定の波長で切り替えて選択的に使用するとともに、測定装置本体内の動作を制御する装置内制御部と、光測定部で得られた検出信号に基づいて作成されたグラフを表示するデータ表示部と、装置内制御部での動作条件及びデータ表示部での表示条件を設定する外部制御装置と、を備え、外部制御装置はデータ表示部に対し光測定部での光検出器の切替え波長の位置をグラフ上に表示できるものであることを特徴とするものである。
【０００８】
さらに、光源部は互いに異なる発光スペクトルを有する複数の光源を備え、装置内制御部は、さらに複数の光源からの光のいずれかを測定光として使用するように所定の波長で光源の切替えを行なうものである場合は、外部制御装置はデータ表示部に対し光源部における測定光の切替え波長の位置もグラフ上に表示できるものであることが好ましい。
【０００９】
さらに、分光部は互いに分光可能な波長域が異なる複数の分光素子を備え、装置内制御部は、さらに複数の分光素子のいずれかを使用するように所定の波長で切替えを行なうものである場合は、外部制御装置はデータ表示部に対し分光部における分光素子の切替え波長の位置もグラフ上に表示できるものであることが好ましい。
【発明の効果】
【００１０】
本発明の分光光度計は、光源部、光測定部、測定光学系及び分光部を備えた測定装置本体と、光測定部の複数の光検出器を所定の波長で切り替えて選択的に使用するとともに、測定装置本体内の動作を制御する装置内制御部と、光測定部で得られた検出信号に基づいて作成されたグラフを表示するデータ表示部と、装置内制御部での動作条件及びデータ表示部での表示条件を設定する外部制御装置と、を備えるとともに、外部制御装置はデータ表示部に対し光測定部での光検出器の切替え波長の位置をグラフ上に表示できるものであるので、光検出器が切り替えられることによってデータ表示部の検出信号のグラフに生じるノイズや段差の判別が容易になり、正確なグラフ曲線の読み取りが可能になる。
【発明を実施するための最良の形態】
【００１１】
本発明の分光光度計の一実施例を図１を参照しながら説明する。図１は一実施例の分光光度計の構成を概略的に示すブロック図である。
【００１２】
測定系として、試料セル（セル）４、試料セル４に光照射する光源部２、試料セル４の透過光を検出してその吸光度スペクトル等を測定する光測定部８、及び試料セル４の透過光を分光して光測定部８に導く測定光学系６が設けられている。そして、これら測定系の測定動作を予め設定された動作プログラムに基づいて制御する装置内制御部（ＲＯＭ：Read Only Memory）１２と、動作プログラムを設定して装置内制御部１４に様々な信号を送信して装置内制御部１４の測定系制御動作を制御する外部制御装置１０が設けられ、さらには、測定で得られた測定データを表示するデータ表示部１６が設けられている。外部制御装置１０はパーソナルコンピュータ（ＰＣ）によって実現することができ、データ表示部１６はＰＣモニタによって実現することができる。
【００１３】
光源部２は、互いに発光スペクトルの異なる複数の光源と、それらの光源からの所定の波長域の光を取り出して試料セル４に導く照射側光学系とを備え、点灯させる光源を選択的に切り替えることができ、又はいずれかの光源からの光のみが試料セル４側に導かれるように照射側光学系を切り替えることができるようになっている。複数の光源とは、例えば紫外領域において連続スペクトルを有する重水素ランプと赤外領域及び可視領域に連続スペクトルを有するハロゲンランプである。
【００１４】
測定光学系６は高効率に分光できる波長域が互いに異なる複数の分光素子を備え、使用する分光素子を機械的に切り替えることができるようになっている。
【００１５】
光測定部８は対応する波長域の互いに異なる複数の光検出器を備え、それらの光検出器から使用する光検出器を選択的に機械的に切り替えることができるようになっている。複数の光検出器とは、例えば光電子増倍管、ＩｎＧａＡｓ検出器及びＰｂＳ検出器である。
【００１６】
外部制御装置１０は測定系による測定プログラムの一部である光源部２における光源の切替え波長、測定光学系６における分光素子の切替え波長及び光測定部８における光検出器の切替え波長が格納されている切替え波長記憶部１２を備えている。外部制御装置１０が切替え波長記憶部１２に格納されている各切替え波長に基づいた信号を装置内制御部１４に送信することにより、装置内制御部１４が光源、分光素子及び光検出器をそれぞれ所定の波長で切り替えられるように光源部２、測定光学系６及び光測定部８を制御する。
【００１７】
また、外部制御装置１０は光測定部８で得られた検出データに基づいて吸光度スペクトルなどのグラフを作成してデータ表示部１６に表示させることができ、さらに、切替え波長記憶部１２に格納されている各切替え波長の位置をデータ表示部１６のグラフ上に表示させることもできる。
【００１８】
図３にデータ表示部１６の表示画面の一例を示す。測定データのグラフとして２００ｎｍ〜３３００ｎｍの広い波長域における吸光度スペクトルが表示されている。分析者が「切替波長位置表示」を選択すると、光源切替、分光素子切替、光検出器切替１（光電子増倍管からＩｎＧａＡｓ検出器への切替え）、光検出器切替２（ＩｎＧａＡｓ検出器からＰｂＳ検出器への切替え）の波長の位置がグラフ上に表示される。なお、ここでは、光源の切替え波長が３１０ｎｍであり、分光素子の切替え波長が７２０ｎｍであり、光検出器の切替え波長が８７０ｎｍ（光検出器切替１）と１６５０ｎｍ（光検出器切替２）となっている。このようにグラフ上に各構成の切替え波長の位置を表示することにより、グラフに現れているピークや段差が試料によるものなのか切替えによるものなのかが一目瞭然となり、グラフを正確に読み取ることが可能になる。
【００１９】
この実施例の分光光度計の動作を図２のフローチャートを参照しながら説明する。
分析者が試料を試料セル４に設置し、外部制御装置（ＰＣ）１０において必要な条件を設定して測定開始を入力すると、設定された分析プログラムに基づいて装置内制御部１２が光源部２、測定光学系６及び光測定部８を制御することにより、光源、分光素子及び光検出器をそれぞれ所定の波長で切り替えながら測定が行なわれる（ステップＳ１）。外部制御装置１０は光測定部８で得られた検出データに基づいて吸光度スペクトル等のグラフを作成し、データ表示部１６に表示させる（ステップＳ２）。このとき、分析者はデータ表示部１６に表示された測定データのグラフ上に光源、分光素子及び光検出器の切替え波長の位置を表示するかどうかを外部制御装置１０を介して選択することができる（ステップＳ３）。分析者が切替え波長の位置の表示を選択した場合は、外部制御装置１０が切替え波長記憶部１２に格納されている切替え波長情報を取得し（ステップＳ４）、その切替え波長情報に基づいてそれらの位置をデータ表示部１６のグラフ上に表示させる（ステップＳ５）。分析者は全ての試料についての測定を終了したかどうかを確認し（ステップＳ６）、未測定試料が存在する場合は次の測定に移行し、全試料についての測定が終了するまで以上の動作が繰り返し行なわれる。
【００２０】
なお、この実施例では、光源、分光素子、光検出器の全てを切り替える形式の分光光度計について説明したが、本発明はこれに限定されるものではなく、光検出器のみを切り替えて測定を行なうものや光検出器と光源又は分光素子とを切り替えて測定を行なうものであってもよい。
【図面の簡単な説明】
【００２１】
【図１】一実施例の分光光度計の構成を概略的に示すブロック図である。
【図２】同実施例の分光光度計の動作を示すフローチャート図である。
【図３】データ表示部の画面表示の一例の図である。
【符号の説明】
【００２２】
２    光源部
４    試料セル
６    測定光学系
８    光測定部
１０    外部制御装置
１２    切替え波長記憶部
１４    装置内制御部
１６    データ表示部
【図１】
2009250787.tif 000003
【図２】
2009250787.tif 000004
【図３】
2009250787.tif 000005